(57)【要約】  一対の壁部により形成された柔軟なパウチを備えたオストミー排出物容器である。前記壁部の内の第１の壁部にストーマ受入れ用開口部が設けられている。前記壁部の内の第２の壁部は透明または半透明であり、第３の不透明な壁部がその縁部に沿って前記第２の壁部にシールされ、第４の不透明な壁部が、その縁部に沿って前記第２の壁部にシールされて、前記第３の壁部の縁部に僅かに重ね合わされている。【特許請求の範囲】
【請求項１】
排出物収容室形成用の複数の壁部により形が定められていて、前記複数の壁部のうちの少なくとも遠位の壁部が半透明又は透明である柔軟なパウチと、
前記複数の壁部のうちの近位の壁部にストーマ受入れ用開口部を形成する手段と、
前記複数の壁部のうちの遠位の壁部に縁部がシールされた第１の不透明なパネルと、
前記複数の壁部の内の遠位の壁部に縁部がシールされて前記第１の不透明なパネルに僅かに重ね合わされた第２の不透明なパネルと、
を備えたオストミー排出物容器。
【請求項２】
前記第1の不透明なパネルと第2の不透明なパネルとは、前記ストーマ受け入れ用開口部と相対する領域で重ね合わされている請求項1に記載のオストミー排出物容器。
【請求項３】
前記重なった部分が横方向に向いている請求項1に記載のオストミー排出物容器。
【請求項４】
前記ストーマ受け入れ用開口部は取付用ディスクを備え、前記取付け用ディスクは凸状の中央本体部分と該中央本体部分を取り囲む環状の周縁部とを有している請求項１に記載のオストミー排出物容器。
【請求項５】
柔軟で弾力性のある発泡体ディスクが前記プラスチックディスクを覆っている請求項４に記載のオストミー排出物容器。
【請求項６】
排出物収容室形成用の複数の壁部により形が定められていて、前記複数の壁部のうちの少なくとも遠位の壁部が半透明又は透明である柔軟なパウチと、
凸状の中央本体部分と該中央本体部分を取り囲む環状の周縁部とを有する取付け用ディスクを備えて、前記複数の壁部のうちの１つである近位の壁部にストーマ受け入れ用開口部を形成する手段と、
前記プラスチックディスクを覆う柔軟で弾力性のある発泡体ディスクと、
縁部が前記複数の壁部の内の一つである遠位の壁部にシールされた第1の不透明な壁部と、
縁部が前記複数の壁部の内の一つである遠位の壁部にシールされた第２の不透明な壁部と、
を備え、
前記第１の不透明なパネルの前記取付け用ディスクのレベルと同じレベルの位置にある縁部がシールされていない状態にあって、該シールされていない部分が前記遠位の壁部を横切って伸びており、
前記第2の不透明なパネルの縁部のシールされていない部分が前記複数の壁部の遠位の壁部を横切って伸びていて、前記第1の不透明なパネルの縁部に重ね合わされている、
オストミー排出物容器。
【発明の詳細な説明】
【従来技術】
【０００１】
本発明は２００７年６月１日に出願された米国特許予備出願番号６０／９４１，３１１の利益を請求する。当該予備出願のすべての開示内容は、参照することにより本明細書に組み込まれる。
【背景技術】
【０００２】
本発明はオストミー器具に関し、更に詳細に説明すると、不透明または半透明のパネルを備えたカバーにより覆われた遠位のパネルを有するオストミーパウチに関する。使用者がストーマの状態を見ることができるようにするために、カバーは開くことができるようになっている。
【０００３】
オストミーパウチは透明か不透明かのどちらかである。不透明なパウチはパウチの内容物を隠したい多くの人に好まれる。このことは、薄い夏用の衣服を着用しているときに重要である。一方、半透明のパウチは、使用者がパウチを取り外すことなく彼または彼女のストーマの状態を視診することを可能にする。いずれのパウチも望ましい特質を有しているので、パウチの中身を隠すことが出来、かつパウチを取り外すことなくストーマの状況を視診することができるオストミーパウチを提供することが好ましい。
【発明の概要】
【０００４】
本発明は、パウチの中身を隠すことができ、かつ使用者がパウチを取り外すことなくストーマの状態を視診することを可能にするオストミーパウチを提供する。このようなオストミーパウチは、半透明のパウチの遠位のパネルの上に、ほぼパウチの下部から、パウチの近位のパネルに設けられているストーマ用開口部のレベルとほぼ同じレベルの位置まで伸びる第１の不透明または半透明のパネルを備えることにより得ることができる。第2の不透明又は半透明のパネルが、パウチの頂部から延びるように設けられて第1のパネルに重ねられる。第1のパネルと第2のパネルとが重なり合っている関係にあることにより、使用者がこれらのパネルを僅かに離してストーマを視認することが可能になる。
【発明の詳細な説明】
【０００５】
図面、特に図1及び２を参照すると、本発明に係わるオストミー器具組立体１０が図示されている。組立体１０は、オストメイトの締結用ベルト（図示せず）に取りつけられるようになっている取付用ディスク１２と、オストミーパウチ１４とを備えている。
【０００６】
取付用ディスク１２は、凸状の中央本体部分１８と該中央体部分を取り囲む環状の周縁部２０とを有する可撓性プラスチックディスク１６を備えている。ディスクは  エチレン酢酸ビニール共重合体（ＥＶＡ）で成形することができる。ＥＶＡ共重合体は、米国デラウェア州、ウィルミントンのイー・アイ・デュポン・ドゥ・ヌムール社（Ｅ．Ｉ．Ｄｕｐｏｎｔ  ｄｅ  Ｎｅｍｏｕｒｓ，Ｉｎｃ．）製の「エルバックス（登録商標）」４５０とすることができる。このプラスチックディスク１６は、径方向に対向していて放射方向に伸びるベルト取付用ループ２２を外周部に備えている。
【０００７】
可撓性プラスチックディスク１６は、柔軟で弾力性のある熱可塑性の第1の発泡体ディスク２４により覆われている。発泡体ディスク２４はその両面に接着層２６及び２８を有していて、一方の面がプラスチックディスク１６に取りつけられている。プラスチックディスク１６に取りつけられる際の発泡体ディスク２４の外径はプラスチックディスク１６の外径にほぼ一致する。
【０００８】
第1の発泡体ディスク２４は、柔軟で弾力性がある熱可塑性の第２の発泡体ディスク３０により覆われている。第2の発泡体ディスク３０は、その一方の面に感圧性の接着層３２を有し、該感圧性接着層を露呈させた状態で、該ディスク２４の他方の面が第１の発泡体ディスク２４の接着層２８に接着されている。発泡体ディスク３０は、第1の発泡体ディスク２４及びディスク１６の外径よりも大きい外径を有している。ループ２２に通されるベルトフックからオストメイトの皮膚を保護するため、取付用ループ２２は、第２の発泡体ディスク３０の外径を越えて伸びることがないようになっている。
【０００９】
第２の発泡体ディスク３０の外径と一致する外径を有する粘着性の親水コロイドスキンバリアディスク３４が、第２の発泡第ディスク３０の接着層３２の上に配置されている。ディスク３４の露呈された面は、使用直前に取り外される薄い剥離フィルム３６によって覆われていることが好ましい。ディスクをシールしてプラスチックディスク１６の凸状中央本体部分１８上で発泡体ディスクと親水コロイドスキンバリアディスクを滑らかにするために、環状の領域ｚ（図２参照）に熱と圧力とが加えられる。
【００１０】
粘着性の親水コロイドスキンバリアディスク３４は柔軟であって、ドライな状態でもウェットな状態でも粘着性を有する。親水コロイドスキンバリアディスク３４に適した材料は、カラヤ−グリセリン製剤や、ポリアクリルアミド樹脂とその他ポリオール類との混合物や、エラストマーと親水コロイドとの混合物である。図２に示されたように、組立体の中央に、ストーマ用開口部３８が配置されている。
【００１１】
図３及び４を参照すると、パウチの遠位側８０に第1の不透明又は半透明のパネル８２が設けられている。このパネル８２は、パウチの下部からパウチの近位側にある取付ディスク１２のストーマ用開口部３８のレベルとほぼ同じレベルの位置まで伸びている。
【００１２】
第2の不透明又は半透明のパネル８４が、パウチの頂部から伸びていて第1のパネルに重ね合わされている。第1及び第2のパネル８２及び８４は、その周縁部がパウチの遠位側の端部８０に熱融着されている。パネル８２及び８４は重ね合わされているがシールされてはいないので、使用者は重なった部分を手で離すことによりストーマの状態を視診することができる。
【図面の簡単な説明】
【００１３】
【図１】図１は本発明のオストミー器具の近位からみた正面図である。
【図２】図２は図1の２−２線で示した部分の断面を示した断面図である。
【図３】図３は本発明のオストミー器具の遠位からみた正面図である。
【図４】図４は図３の４−４線で示した部分の断面を示した断面図である。
【図１】
2010528719.tif 000002
【図２】
2010528719.tif 000003
【図３】
2010528719.tif 000004
【図４】
2010528719.tif 000005